(57)【要約】【課題】  設置場所からの遠近を問わず、直ちに消火活動可能な消火栓装置を提供する。【解決手段】  本発明の消火栓装置は、ホース格納箱１の正面のほぼ中央部に水平にかつ軸方向に進退可能に設けてある送水軸管３を中心としてホース掛け９等を回転可能に支持したものからなる。ホース掛け９の力骨にはホースを渦巻き状に保持可能とするように受け溝部９ｃが設けてある。非使用時には、ホース７は扁平状になっており、一端部が受け溝部９ｃに係合し、他端部がホース押さえ１１の内側面に当接状態となっている。前扉を開け、ホース掛け等を格納箱１の前面側に引き出し、ハンドル５でバルブ３ｂを回せば直ちに送水可能となる。ホース７は送水により円形断面に変化し、受け溝部９ｃから脱出し、収納部１５内にて引き出し可能状態になる。ホースの先端部に接続してある放水ノズル７ａを収納部の側方から必要長さだけ引き出して消火活動を行うことが可能である。【選択図】      図３
2008173200.tif 000002
【特許請求の範囲】
【請求項１】
ホース格納箱の正面のほぼ中央部に水平に設けてある送水軸管と、
上記送水軸管に接続してあり先端部に放水ノズルを取り付けてあるホースと、
上記送水軸管に当該送水軸管と一体になって回転するように取り付けてあるホース掛けと、
上記ホース掛けの前方対向位置に当該ホース掛けと所定間隔を有するように設けてあるホース押さえと、
非使用時の状態において扁平状の上記ホースを上記ホース掛けに渦巻き状に支持可能にする受け溝部と、
上記ホース押さえによって非使用時に上記ホースを支持するとともに使用時には円形断面に膨らんだホースを収納するホース収納部と
を備えていることを特徴とする消火栓装置。
【請求項２】
請求項１において、上記送水軸管は軸方向に進退可能に設けてあることを特徴とする消火栓装置。
【発明の詳細な説明】
【技術分野】
【０００１】
本発明は、建物の内外又は消防車に設置する消火栓装置に関するものである。
【背景技術】
【０００２】
消火装置には水を用いて消火するものや化学作用により消火するものなど種々のものがあり、形式も目的に応じて種々のものがあるが、ここでは消火栓にホースをつないでノズルから水を発射させることにより消火活動を行う消火栓装置に絞って説明する。従来技術の第１例は、屋外に設ける消火栓装置として、図６に示すように、建物の外壁近傍に設けた格納箱５１に、先端部に放水ノズル５３を取り付けたホース５５を収納したものがある（非特許文献１）。この消火栓装置は、使用時には格納箱５１内のホース掛け５７からホース５５を取り外し、基部を隣接して設けてある消火栓（図示略）に接続して放水可能としてある。また、第２例として、中空パイプ状の消火ホースをドラムに巻装し、ホース先端部のノズルを引き出して消火活動をするようにしたものがいくつか提案されている（例えば特許文献１、特許文献２）。
【０００３】
【非特許文献１】www3.ocn.jp/~shou-sou/exp_03.html
【特許文献１】特開平７−３０８３９７号公報
【特許文献２】特開２０００−２７６２６２号公報
【発明の開示】
【発明が解決しようとする課題】
【０００４】
上記従来技術の第１例は、屋内外で広く採用されているものであり、ホースの長さを充分に取れる上に、非使用時にはコンパクトにして格納箱内に格納できる利点がある。しかし、使用時にはホースの全長をホース掛けから取り外して通水可能としなければならないため、初めにホース全体を引き延ばしてからでないと、放水ができない短所がある。これに対し、第２例では、ホースをドラムやリールに巻装したままの状態でも通水が可能であることから、消火装置の近傍であっても直ちに消火活動可能であるが、ホースが常に円形断面であるため、巻装した時の容積がおおきくなるため、ホースの長さが制限される短所がある。
【課題を解決するための手段】
【０００５】
本発明は、以下の手段を採用し、以下の作用効果を生じるようにしたところに特徴がある。請求項１に記載した発明の消火栓装置は、ホース格納箱の正面のほぼ中央部に水平に設けてある送水軸管と、この送水軸管に接続してあり、先端部に放水ノズルを取り付けてあるホースと、上記の送水軸管にこの送水軸管と一体になって回転するように取り付けてあるホース掛けと、上記のホース掛けの前方対向位置に、このホース掛けと所定間隔を有するように設けてあるホース押さえと、非使用時の状態において扁平状になっているホースを、ホース掛けに渦巻き状に支持可能にする受け溝部と、ホース押さえとホース掛けとによって非使用時におけるホースを支持するとともに、使用時には円形断面に膨らんだホースを収納するホース収納部とを備えている。
【０００６】
上記のホースは、非使用時にはホース掛けとホース押さえとの間に区画形成されるホース収納部に、渦巻き状になった状態で収納可能としてある。この時、ホースの断面は扁平状になっていて上下の内周面が当接状態となっている。非使用時におけるホースはホース掛けの前部に刻設してある受け溝部に係合することにより所定の位置に保持可能となっている。上記の受け溝部は、ここに掛ける扁平状のホースが渦巻き状になるように配置してあるので、非使用時には扁平状のホースが一端を受け溝の深奥に係合し、他端部はホース押さえの内側面に当接した状態で保持される。消火活動を行う際には送水軸管と一体のバルブを開けることにより送水可能となり、この送水によりホース内の圧力が高くなると、ホースが膨らんで受け溝部から脱出し、ホース収納部のスペース内に浮遊状態となる。この状態において、ホース格納箱の一側面に設けてある側扉を開けて送水ノズルを含むホースの先端部から順次引き出し可能となる。ホースの引き出し量に応じてホース掛けは、送水軸管を中心としてこれと一体となって回転するので、ホースの引き出し作業を円滑に行うことができる。ホースは必要な長さだけをホース収納部から引き出せばよいので、消火栓装置と火災現場との距離の遠近に拘わらず消火活動を直ちに行うことができる利点がある。
【０００７】
請求項２に記載した発明の消火栓装置は、上記の送水軸管を軸方向に進退可能としてあるところに特徴がある。送水軸管にはホース掛け、ホース押さえ及びホースもともに一体となって回転可能に取り付けてあるので、結局ホース収納部がホース格納箱の前面から引き出された状態とすることが可能である。これは、消火栓装置を建物内の壁面に埋め込み式にしたような場合に、非使用時には、前扉のみが壁面から出た状態に、あるいは前扉を壁面と面一にすることができるので、通行その他の邪魔にならなくて済む特徴がある。使用時には、前扉を開け、ホース掛け、ホース押さえ及びホース等を含むホース収納部を格納箱の前方へ前進させる。この前進により格納箱の前方に位置する上記の収納部の一側部からホースを所用量だけ引き出して消火活動を行うことが可能である。ホース収納部がホース格納箱の外に位置しているので、側扉は不要であり、ホースは直ちに引き出し可能である。
【発明の効果】
【０００８】
本発明によれば、不使用時におけるホースの断面は、上下の内周面がほぼ扁平状になってホース収納部に収納されているため、全体としてコンパクトな状態となるので、円形断面のホースを使用する場合よりも長いものを収納可能となる。また、使用時にホースに通水すると、水圧によりホースの断面が円形となるため、ホース掛けの前部に刻設してある受け溝部に係合しているホースが、これらの受け溝部から脱出して収納部内で自由状態となるとともに、その状態のまま通水可能となるので、ホースを任意の長さだけ引き出すことにより消火活動が可能となる。このことは消火栓装置から数メートルの近距離に消火対象があるような場合にも、ホースを全部引き出すことなく消火活動を行うことができるので迅速な消火活動を可能にする。さらにホース収納部を格納箱から引き出してホースを引き出す構成にすれば、格納箱を壁内に埋め込み式にすることに適したものになるので、不使用時において通行その他の行為の邪魔な存在にならない特徴がある。
【発明を実施するための最良の形態】
【０００９】
本発明の実施形態には、送水軸管を進退可能としたもの（以下「進退型」という）と進退しないもの（以下「固定型」という）とがあるので、初めに進退型について説明し、続いて固定型について説明することとする。いずれも基本形態は同じであるので、各部の名称や符号について共通するものは同一名称及び同一符号を用いることする。
【００１０】
図１は、本発明に係る進退型の消火栓装置が建物内の壁Ｗに埋め込まれている状態を示している。この消火栓装置は、格納箱１の正面中央部に送水軸管３が鞘管１ａに進退可能に支持してある。送水軸管３の基部は、回転継ぎ手４を経て消火栓（図示略）に接続してある送水管３ａにつながっている。なお、送水管３ａは送水軸管３の進退動作に対して対応可能としてある。送水軸管３の先端部にはバルブ３ｂが設けてあり、バルブハンドル５の操作によりホース７への通水を制御可能としてある。送水軸管３はホース７、ホース掛け９及び後述のホース押さえ１１などを支持可能な強度を有するようにしてある。送水軸管３の先端部近傍には、ホース掛け９がこれと一体回転可能に取り付けてある。
【００１１】
図２は、格納箱１の前扉１７及びホース押さえ１１を除去した状態におけるホース７の収納状態を示している。上記のホース掛け９は、図２に示すように、中央のリブ部９ａから８本の力骨９ｂ…が放射状に延びており、各力骨９ｂの前部に刻設してある受け溝部９ｃ，…にホース７を支持してある。ホース７の先端部には放水ノズル７ａが接続してあり、このノズルを両手で握って引き出せば、ホース掛け９が送水軸管３のまわりを回転しながらこのホースが順次引き出されるようになっている。
【００１２】
図１に示すように、ホース７は、不使用時における非通水状態下にあっては、内面同士が対接状態の薄い扁平状になっており、横幅のほぼ半分が力骨９ｂの受け溝部９ｃに支持されている。これらの各溝部９ｃに支持されている部分の反対側の端部は、ホース押さえ１１の内側面によって溝部に押し込まれる方向に押さえ付けられている（図４参照）。ホース押さえ１１は、各力骨９ｂの最も内側に位置する溝部のさらにその内側に、取り付けボルト１３，…によってホース掛け９に、これと一体回転可能に取り付けてある。上記のホース掛け９の前部及びホース押さえ１１との間に区画形成される隙間空間は、扁平状態で受け溝部９ｃに係合したホース７、又は通水により膨らむことにより想像線で示すような円形断面になったホース７の収納部１５となっている。格納箱１の前面には前扉１７が蝶番１８，１８を介して開閉自在に取り付けてある。
【００１３】
図３は、本装置の使用準備が完了した状態を示している。本装置の使用方法は、まず前扉１７を開け、続いてバルブハンドル５を掴んで、ホース収納部１５を構成するホース掛け等を前方に引き出すことにより図示の状態にする。次にホース先端部の放水ノズル７ａを取り出し、ホース７を任意長だけ引き出す。次にバルブハンドル５を回してバルブ３bを緩めて放水態勢に入る。ホース７は収納部１５内に収納された状態で通水可能であるので、ホースの引き出し量は任意であり、全長を引き出す必要は無い。通水が始まるとホース７内の圧力が高くなり、ホースの断面形状が想像線で示すように、円形となるため、ホースは受け溝部９ｃ，…に係合していることができなくなり、そこから脱出し、ホース収納部１５内にて渦巻き状になった状態で送水作用が可能となる。
【００１４】
消火活動が終了した後は、ハンドル５でバルブ３ｂを閉め、このバルブ及びホース押さえ１１を取り外し、ホースの水抜きを行う。次に、ホース７を扁平状に復元して受け溝部９ｃに押し込み、ホース押さえ１１及びハンドル５を取り付け、ホース収納部１５を構成するホース掛け等を格納箱１内に押し戻し、前扉１７を閉めて次の消火活動に備える。
【００１５】
次に、本発明を屋外に設置する消火栓装置とした固定型について説明する。図５は、不使用時の状態を示したものではあるが、前扉３７を開け、さらにホース押さえ（図１参照）を除去した状態を示している。ホース掛けとホースの関係は既述した進退型の装置と同様であるが、送水軸管３３は進退不能として構成を簡単にしてある。この装置の使用時には、前扉３７を開けてバルブを開いて放水可能とするが、ホースの引き出しは側扉３９を開け、ホース格納箱２１の一側部から行うようにしてある。その他の構成は進退型と同様である。
【００１６】
図２，図５では、ホースの密度が粗くなっているが、実際には膨らんだ状態で渦巻き状の隣接するホース同士が互いに接触ぎりぎりになるように設計してホースの収納可能長さを確保するように努めることが望ましい。また、本発明は屋内外で使用するものとして説明してあるが、そのほか、消防車に取り付けることも可能である。
【産業上の利用可能性】
【００１７】
本発明は、消防用品に関するものであり、本発明の実施により産業の発展に貢献する。
【図面の簡単な説明】
【００１８】
【図１】壁面に嵌め込まれている状態を示す断面図である。
【図２】前扉及びホース押さえを除去した状態におけるホースの収納状態を示す正面図である。
【図３】使用準備ができた状態を示す断面図である。
【図４】ホースの収納状態を示す拡大断面図である。
【図５】屋外設置用格納箱に収納された状態を示す斜視図である。
【図６】従来例を示す斜視図である。
【符号の説明】
【００１９】
１，２１      格納箱
３，３３      送水軸管
５            ハンドル
７            送水ホース
７ｃ          放水ノズル
９            ホース掛け
９ｃ          受け溝部
１１          ホース押さえ
１５          ホース収納部
１７，３７    前扉
【図１】
2008173200.tif 000003
【図２】
2008173200.tif 000004
【図３】
2008173200.tif 000005
【図４】
2008173200.tif 000006
【図５】
2008173200.tif 000007
【図６】
2008173200.tif 000008